(57)【特許請求の範囲】
【請求項１】
床面の点検口形成部に取り付けられる外枠と、この外枠内に嵌め込まれて設けられる内枠とからなり、この内枠は４つのコーナー部近傍において上方からの固定ねじの締め付けにより外枠に対して脱着自在に構成され、前記４箇所の固定ねじの固定部の内、少なくとも１箇所の固定部は固定ねじの上部を覆い隠す鍵を備えた鍵付き固定手段とし、
鍵付き固定手段による固定部以外の固定ねじの上端は締め付け状態において内枠の上端に揃うように構成され、鍵付き固定手段による固定部は鍵の上方を覆うように設けられる蓋部材が内枠の上端に揃うように構成され、
前記鍵は、固定ねじの上部を覆い隠した状態において回り止め状態となるように構成され、
内枠は平面形状が正方形または長方形であり、
鍵付き固定手段による固定部は平面形状が正方形であり、
平面視において、前記内枠の外周と、前記鍵付き固定手段による固定部の外周とが、平行であることを特徴とする床下点検口。
【発明の詳細な説明】
【技術分野】
【０００１】
本発明は、建物内の床面に形成される床下点検口に関するものである。
【背景技術】
【０００２】
従来のこの種床下点検口としては例えば特許文献１に開示されているように、外枠の上端に側壁部の上端から水平に張り出す板部と、この水平な板部の外端部から鉛直方向に立ち上がる板部を備え、外枠内に嵌め込まれる点検口蓋体の内枠の上端には外枠の鉛直方向に立ち上がる板部内で前記水平な板部上に位置するように全周に亘って外方に張り出すフランジ部を備え、前記水平な板部とフランジ部との間にパッキング材を介在させて外枠上端と内枠上端との間のシールを行なうように構成し、前記内枠の上端の４つのコーナー部にコーナー部材を取り付け、この各コーナー部材に形成された凹部にパッキング材を嵌め込み、このパッキング材の孔部を貫通するボルトの下端雄ねじ部を前記外枠の下端において４つのコーナー部に取り付けられたナットに螺合させ、ボルトの頭部と前記コーナー部材の底部との間で前記凹部に嵌め込んだパッキング材によりシールを行なうように構成したものが知られている。
【先行技術文献】
【特許文献】
【０００３】
【特許文献１】特許第３０３４４７５号公報
【発明の概要】
【発明が解決しようとする課題】
【０００４】
上記特許文献１に開示されている床下点検口の構成では、内枠のコーナー部においてボルトの下端雄ねじ部を外枠のコーナー部下端に取り付けられたナットに螺合させることにより内枠を外枠に固定するように構成されているが、コーナー部４箇所のボルトを弛めることにより内枠（蓋体）が簡単に外されてしまい、いたずらされたり、盗難に遭うという問題があった。
【０００５】
本発明の目的は、このような課題を解決するものであり、内枠（蓋体）を鍵でロックしておくことによりいたずらされたり、盗難に遭うことを防止できるようにした床下点検口を提供することにある。
【課題を解決するための手段】
【０００６】
本発明の請求項１に記載の床下点検口は、床面の点検口形成部に取り付けられる外枠と、この外枠内に嵌め込まれて設けられる内枠とからなり、この内枠は４つのコーナー部近傍において上方からの固定ねじの締め付けにより外枠に対して脱着自在に構成され、前記４箇所の固定ねじの固定部の内、少なくとも１箇所の固定部は固定ねじの上部を覆い隠す鍵を備えた鍵付き固定手段とし、鍵付き固定手段による固定部以外の固定ねじの上端は締め付け状態において内枠の上端に揃うように構成され、鍵付き固定手段による固定部は鍵の上方を覆うように設けられる蓋部材が内枠の上端に揃うように構成され、前記鍵は、固定ねじの上部を覆い隠した状態において回り止め状態となるように構成され、内枠は平面形状が正方形または長方形であり、鍵付き固定手段による固定部は平面形状が正方形であり、平面視において、前記内枠の外周と、前記鍵付き固定手段による固定部の外周とが、平行であることを特徴とする。
【発明の効果】
【０００８】
以上のように、本発明の床下点検口は、外枠に対する内枠の固定部において４箇所の固定ねじの固定部の内、少なくとも１箇所の固定部は固定ねじの上部を覆い隠す鍵を備えた鍵付き固定手段としてあることにより、外枠から内枠を外す場合、鍵が無い限り外枠から内枠を外すことが不可能であり、内枠が外されていたずらされたり、盗難に遭うことを防止できるようにした床下点検口を提供できる。また、鍵付き固定手段による固定部以外の固定ねじの上端は締め付け状態において内枠の上端に揃うように構成され、鍵付き固定手段による固定部は鍵の上方を覆うように設けられる蓋部材が内枠の上端に揃うように構成されていることにより、内枠の上面に窪みが存在せず、ごみなどの侵入を防止できる。
【図面の簡単な説明】
【０００９】
【図１】本発明の一実施の形態における床下点検口の分解斜視図である。
【図２】同床下点検口の外枠の取り付け状態を示す縦断面図である。
【図３】同床下点検口の外枠内に内枠を取り付ける途中の状態を示す縦断面図である。
【図４】同床下点検口の外枠内に内枠を取り付けた状態を示す縦断面図である。
【図５】（Ａ）〜（Ｅ）は鍵付き固定手段による固定部での固定作業順序を示す拡大断面図である。
【発明を実施するための形態】
【００１０】
以下、本発明の一実施の形態を、図１〜図５を用いて具体的に説明する。なお、本実施の形態における「鍵」は、正確には「錠」を指す。また、本実施の形態における「キー」は、「鍵」を指す。
図において、１はステンレスなどの金属からなる平面形状が正方形（もしくは長方形）の外枠で、床面２に形成される点検口３の上端に嵌め込まれるように取り付けられ床面２を形成するモルタル４内に埋設された鉄筋５に対してアンカー金具６を介して結合固定されている。７は前記外枠１内に嵌り外枠１で受けられるステンレスなどの金属からなる平面形状が正方形（もしくは長方形）の内枠で、前記外枠１内に嵌り外枠１で受けられるようになっている。
【００１１】
詳しくは、外枠１はモルタル４で床面２を仕上げる前にアンカー金具６を介して鉄筋５に対して結合固定され、その後でモルタル４で床面２を仕上げるのであり、その際に点検口３の上端近傍に外枠１を受ける段差が形成され、この段差に外枠１が載った状態となる。そして、点検口３の上端に取り付けられる外枠１は点検口３の上端の開口部の高さと同高さの立ち上がり板部８ａを各辺に備え、この立ち上がり板部８ａの下端には点検口３側、つまり内側に直角に折れ曲がる水平板部８ｂが連設されるとともに、この水平板部８ｂの先端から上向きに直角に折れ曲がる板部８ｃが連設され、さらにこの板部８ｃの上端から立ち上がり板部８ａ側に水平に直角に折れ曲がる長さの短い板部８ｄが連設され、この板部８ｄの先端と立ち上がり板部８ａとの間に間隙が形成されて立ち上がり板部８ａの下端にパッキン９が収納される凹部８ｅが形成されている。そして、前記板部８ｄが前記内枠７を受ける受け板となる。また、立ち上がり板部８ａの上端には点検口３とは反対側、つまり外側に直角に折れ曲がる水平板部８ｆが連設され、そしてこの水平板部８ｆから下向きに直角に折れ曲がる長さの短い板部８ｇが連設されて鍔部８ｈが形成されている。さらに、外枠１には下端部において前記凹部８ｅを形成する前記水平板部８ｂで囲まれる開口部のコーナー部に三角板１０が取り付けられており、この三角板１０の４隅コーナー部近傍には雌ねじ孔１０ａが形成されている。
【００１２】
前記外枠１に嵌まり込む内枠７は外周を形成する立ち上がり板部１１ａを各辺に備え、立ち上がり板部１１ａの上端には点検口３側、つまり内側に直角に折れ曲がる水平板部１１ｂが連設され、そしてこの水平板部１１ｂから下向きに直角に折れ曲がる長さの短い板部１１ｃが連設されて鍔部１１ｄが形成されている。また、内枠７の下端には前記立ち上がり板部１１ａの下端に繋がるように底板部１１ｅが設けられ、この内枠７の底板部１１ｅが外枠１の前記板部８ｄ上に載った状態において前記雌ねじ孔１０ａの上側に位置する丸孔１１ｆが底板部１１ｅの４隅コーナー部近傍に形成されている。この内枠７が外枠１の前記板部８ｄ上に載った状態において立ち上がり板部１１ａの上端は外枠１の立ち上がり板部８ａの上端に揃うように設定されている。さらに、内枠７の４隅コーナー部近傍の内、３つのコーナー部近傍において内径が前記丸孔１１ｆの内径とほぼ同じ円筒体１２が上方から丸孔１１ｆを隠すように底板部１１ｅ上に取り付けられ、この円筒体１２の上端には中央の凹入底部１３ａの中心に前記雌ねじ孔１０ａと同芯状で雌ねじ孔１０ａと同径の雌ねじ孔１３ｂが形成されているフランジ部材１３が取り付けられている。このフランジ部材１３の周囲の板部は前記内枠７の鍔部１１ｄの水平板部１１ｂに揃うように設定されている。そして、前記フランジ部材１３の凹入底部１３ａにはリング状のパッキン１４が装着され、前記雌ねじ孔１３ｂに螺入される雄ねじ部１５ａを下端に持つ固定ねじ１５の頭部１５ｂの裏面がパッキン１４に圧接するようになる。なお、固定ねじ１５は下端の雄ねじ部１５ａと上端の頭部１５ｂとの間の軸部１５ｃにはねじが形成されておらず、雌ねじ孔１３ｂを螺入して貫通した雄ねじ部１５ａは丸孔１１ｆを貫通した後、前記外枠１の三角板１０の雌ねじ孔１０ａに螺合し、その状態で頭部１５ｂの裏面がパッキン１４に圧接して固定ねじ１５の締め付けが完了するものである。この固定ねじ１５による締め付けは３つのコーナー部近傍において行なわれるものであり、残りの１つのコーナー部近傍では鍵付き固定手段１６により締め付けが行なわれる。
【００１３】
次に、鍵付き固定手段１６による固定部について説明すると、鍵付き固定手段１６は前記内枠７のコーナー部近傍における底板部１１ｅ上に取り付けられ上端鍔部１７ａの２辺が内枠７の上端の鍔部１１ｄの２辺に当接するように位置合わせされる平面形状が正方形で上端に丸孔状の開口部１７ｂが形成された鍵箱１７と、前記内枠７の底板部１１ｅの丸孔１１ｆに合致する丸孔１７ｃが中央の凹入底部１７ｄに形成された鍵箱１７の底板部１７ｅと、この底板部１７ｅの凹入底部１７ｄ内に装着されたリング状のパッキン１７ｆと、鍵箱１７の上端近傍内に水平に取り付けられ中心に雌ねじ孔１８ａが形成された雌ねじ部材１８と、この雌ねじ部材１８上に装着されたリング状のパッキン１９と、前記鍵箱１７内において前記雌ねじ部材１８と底板部１７ｅとの間に位置して取り付けられ上端で鍵２０を受け下端で鍵２０の係止片２０ａを係止させるようにした鍵受け部材２１とを備えており、この鍵受け部材２１内に鍵２０を嵌め込んだ状態において鍵２０は回り止め状態となるように構成されている。そして、前記内枠７を外枠１の板部（受け板）８ｄ上に載せた状態で前記パッキン１７ｆの上方から丸孔１７ｃより三角板１０の１つのコーナー部近傍の雌ねじ孔１０ａに前記固定ねじ１５よりも長さの短い固定ねじ２２の雄ねじ部２２ａを螺入させることにより固定ねじ２２による内枠７の固定が行なわれ、次に前記鍵受け部材２１に鍵２０を挿入し、鍵２０の上端鍔部２０ｂを鍵受け部材２１の上端で受けた状態で鍵２０の鍵穴にキーを差し込み回すことにより下端の係止片２０ａが鍵受け部材２１の下端に係止してロックし、前記固定ねじ２２による固定部を上方から覆い隠すようになっている。さらに、鍵２０を上方から覆うように前記雌ねじ部材１８の雌ねじ孔１８ａに蓋部材２３の雄ねじ部２３ａを螺入して鍵箱１７の上端の開口部１７ｂを閉じるようになっている。
【００１４】
上記のようにして外枠１に対する内枠７の取り付け固定が完了するのである。なお、前記内枠７の内部には例えばモルタル２４が充填されて表面が床面２高さに揃うように作られている。また、鍵付き固定手段１６による固定部以外の固定ねじ１５の上端は締め付け状態において内枠７およびモルタル２４の上端に揃うように構成され、鍵付き固定手段１６による固定部は鍵２０の上方を覆うように設けられる蓋部材２３が内枠７およびモルタル２４の上端に揃うように構成されている。
【００１５】
なお、上記した説明では外枠１に内枠７を取り付け固定する場合について説明したが、外枠１から内枠７を外す場合は上記の手順とは逆の順序で固定部を外せば良い。
また、上記した実施の形態では内枠７の４つのコーナー部近傍の内、１箇所のコーナー部近傍を鍵付き固定手段１６により固定しているが、鍵付き固定手段１６による固定は２箇所であっても良い。
【産業上の利用可能性】
【００１６】
本発明の床下点検口は、建物内の床面に形成され内枠が外されていたずらされたり、盗難に遭うことを防止できるようにした床下点検口である。
【符号の説明】
【００１７】
１      外枠
２      床面
３      点検口
４      モルタル
５      鉄筋
６      アンカー金具
７      内枠
８ａ    立ち上がり板部
８ｂ    水平板部
８ｃ    板部
８ｄ    板部
８ｅ    凹部
８ｆ    水平板部
８ｇ    板部
８ｈ    鍔部
９      パッキン
１０      三角板
１０ａ    雌ねじ孔
１１ａ    立ち上がり板部
１１ｂ    水平板部
１１ｃ    板部
１１ｄ    鍔部
１１ｅ    底板部
１１ｆ    丸孔
１２      円筒体
１３      フランジ部材
１３ａ    凹入底部
１３ｂ    雌ねじ孔
１４      パッキン
１５      固定ねじ
１５ａ    雄ねじ部
１５ｂ    頭部
１５ｃ    軸部
１６      鍵付き固定手段
１７      鍵箱
１７ａ    上端鍔部
１７ｂ    開口部
１７ｃ    丸孔
１７ｄ    凹入底部
１７ｅ    底板部
１７ｆ    パッキン
１８      雌ねじ部材
１８ａ    雌ねじ孔
１９      パッキン
２０      鍵
２０ａ    係止片
２０ｂ    上端鍔部
２１      鍵受け部材
２２      固定ねじ
２２ａ    雄ねじ部
２３      蓋部材
２３ａ    雄ねじ部
２４      モルタル
【図１】
0005623057.tif 000002
【図２】
0005623057.tif 000003
【図３】
0005623057.tif 000004
【図４】
0005623057.tif 000005
【図５】
0005623057.tif 000006